(57)【要約】    【課題】ワイヤレス呼出ボタンの呼出した位置を容易に特定する。    【解決手段】ワイヤレス呼出ボタンは、呼出を起動するための呼出スイッチＴ１１と、ＩＤコードを予め記憶する送信ＩＤコード記憶回路Ｔ１９と、呼出スイッチが押下されたとき呼出のための呼出電波にＩＤコードを付加して送信する呼出高周波送信回路Ｔ１５とを備えている。  受信機は、ＩＤコードを予め記憶する受信ＩＤコード記憶回路Ｊ１５と、呼出電波を受信する被呼高周波受信回路Ｊ１２と、被呼高周波受信回路で受信したワイヤレス呼出ボタンからの呼出電波の電界強度を読み取る電界強度検出回路Ｊ１３と、被呼高周波受信回路を最大受信感度および低受信感度の一方から他方に切替設定し電界強度検出回路からの電界強度データをワイヤレス呼出ボタンの呼出した位置の特定をするために廊下灯を介して送信する制御回路Ｊ１４とを備えている。    【選択図】図２
2005101764.tif 000002
【特許請求の範囲】
【請求項１】
ナースコール親機（Ｍ１）が廊下灯（Ｒ１）を介して接続されるプレート子機（Ｐ１）と、前記ナースコール親機および前記廊下灯を制御するための制御機（Ｃ１）と、前記ナースコール親機を呼出すためのＩＤコードが付与され呼出電波を送信するワイヤレス呼出ボタン（Ｔ１）と、前記呼出電波を受信する受信機（Ｊ１）とを備え、
前記ワイヤレス呼出ボタンは、前記呼出を起動するための呼出スイッチ（Ｔ１１）と、前記ＩＤコードを予め記憶する送信ＩＤコード記憶回路（Ｔ１９）と、前記呼出スイッチが押下されたとき前記呼出のための呼出電波に前記ＩＤコードを付加して送信する呼出高周波送信回路（Ｔ１５）とを備え、
前記受信機は、前記呼出電波を受信する被呼高周波受信回路（Ｊ１２）と、前記被呼高周波受信回路で受信した前記ワイヤレス呼出ボタンからの呼出電波の電界強度を読み取る電界強度検出回路（Ｊ１３）と、前記被呼高周波受信回路を最大受信感度および低受信感度の一方から他方に切替設定し前記電界強度検出回路からの電界強度データを前記ワイヤレス呼出ボタンの呼出した位置の特定をするために前記廊下灯を介して送信する制御回路（Ｊ１４）とを備えたことを特徴とするナースコール装置。
【請求項２】
前記受信機または前記制御機には、前記ＩＤコードを予め記憶する受信ＩＤコード記憶回路（Ｊ１５）を設け、
前記受信機には、受信したＩＤコードを前記受信ＩＤコード記憶回路に記憶されているＩＤコードと照合して一致したとき呼出確認電波に前記ＩＤコードを付加して送信する被呼高周波送信回路（Ｊ１１）を設け、
前記ワイヤレス呼出ボタンには、送信されてきた呼出確認電波を受信する呼出高周波受信回路（Ｔ２０）と、受信したＩＤコードを前記送信ＩＤコード記憶回路に記憶されているＩＤコードと照合して一致したとき点灯・消灯させて呼出状態を報知する呼出確認灯（Ｔ１３）とを設けたことを特徴とする請求項１記載のナースコール装置。
【発明の詳細な説明】
【技術分野】
【０００１】
本発明はナースコール装置に係り、特にワイヤレス呼出ボタンを備えたナースコール装置に関する。
【背景技術】
【０００２】
従来から、この種のナースコール装置として、ナースコール子機からの呼び出しを廊下灯および制御機を介してナースコール親機に、かつ廊下灯、制御機、交換機および無線基地局を介して携帯端末に放音／表示させるナースコール装置が知られている（例えば、特許文献１参照）。
【０００３】
このナースコール装置は、制御機に予め格納され携帯端末へ伝送される子機番号情報に、子機番号情報に対応する患者名データを予め格納してあるオーダリングシステムを参照し、参照して得られた患者名情報を取り込んで子機番号情報に追加するインターフェイスアダプタを備えている。
【０００４】
このようなナースコール装置によれば、呼出元のナースコール子機に対応した子機番号情報と呼出元の患者名情報とを携帯端末に表示させることにより、病室内の患者からの呼び出しを確認する巡回中の看護婦の利便性が向上し迅速な対応が可能となる。
【０００５】
しかしながら、このような構成のナースコール装置においては、ナースコール子機を構成するプレート子機と握りボタンが有線で接続されていることから、ベッドの移動時や患者の誤用により、握りボタンが引っ張られ、当該握りボタンがプレート子機から外れてしまったり、握りボタンに接続されているコードが断線したりする虞があった。また、引っ張り時の衝撃によってプレート子機が破損する虞もあった。
【０００６】
このような難点を解消するために、本出願人は、先に、呼出ボタンを無線化し、病院内の何れの場所からでもナースコール親機と無線で通信することができ、患者の利便性を向上させることができるナースコール装置を提案している（特願２００３−７４０６８号）。
【０００７】
このナースコール装置は、ナースコール親機に接続された廊下灯および共用部用の増設アダプタと、廊下灯に接続されたプレート子機と、ナースコール親機を呼出すためのＩＤコードが付与されたワイヤレス呼出ボタンとを備え、ワイヤレス呼出ボタンには、呼出スイッチと、ワイヤレス呼出ボタンのＩＤコードを予め記憶する送信ＩＤコード記憶回路と、呼出のための呼出電波をＩＤコードを付加して送信する呼出高周波送信回路とが設けられ、廊下灯、プレート子機および増設アダプタの少なくとも一つには、ＩＤコードを予め記憶する受信ＩＤコード記憶回路と、呼出電波を受信して復調する被呼高周波受信回路と、復調されたＩＤコードを受信ＩＤコード記憶回路に記憶されているＩＤコードと照合して一致したとき点滅させて呼出状態を報知する呼出確認灯および呼出確認電波をＩＤコードを付加して送信する被呼高周波送信回路とが設けられ、ワイヤレス呼出ボタンには、送信されてきた呼出確認電波を受信して復調する呼出高周波受信回路と、復調されたＩＤコードを送信ＩＤコード記憶回路に記憶されているＩＤコードと照合して一致したとき点灯・消灯させて呼出状態を報知する呼出確認灯とが設けられている。
【０００８】
このような構成のナースコール装置においては、送受信機能を搭載したワイヤレス呼出ボタンから送受信機能を搭載したプレート子機等へ呼出電波を送信し、プレート子機等からワイヤレス呼出ボタンへ着信確認電波を送信することによりワイヤレス呼出ボタンの呼出確認灯が点滅するため、両者の機器間の無線通信が正常に動作したか否かをワイヤレス呼出ボタン側で認識することができる。また、このナースコール装置においては、各廊下灯から送出される電界強度データを比較することで、最大の電界強度データを送出する廊下灯をワイヤレス呼出ボタンの呼出した位置として特定することができる。
【０００９】
しかしながら、このような構成のナースコール装置においては、最大受信感度状態で受信しており、一定レベル以上の電界強度を受信するとかかる電界強度データが飽和し、最大の電界強度データを送出する廊下灯が２台以上存在することになり、ひいてはワイヤレス呼出ボタンの呼出した位置を特定することができないという難点があった。
【００１０】
【特許文献１】特開２００２−２４７２１８号公報  （段落番号「００２４」〜「００３０」、図１）
【発明の開示】
【発明が解決しようとする課題】
【００１１】
本発明は、上述の難点を解消するためになされたもので、各受信機から送出される電界強度データが飽和しても、ワイヤレス呼出ボタンの呼出した位置を特定することができるナースコール装置を提供することを目的としている。
【課題を解決するための手段】
【００１２】
本発明の第１の態様であるナースコール装置は、ナースコール親機が廊下灯を介して接続されるプレート子機と、ナースコール親機および廊下灯を制御するための制御機と、ナースコール親機を呼出すためのＩＤコードが付与され呼出電波を送信するワイヤレス呼出ボタンと、呼出電波を受信する受信機とを備え、ワイヤレス呼出ボタンは、呼出を起動するための呼出スイッチと、ＩＤコードを予め記憶する送信ＩＤコード記憶回路と、呼出スイッチが押下されたとき呼出のための呼出電波にＩＤコードを付加して送信する呼出高周波送信回路とを備え、受信機は、呼出電波を受信する被呼高周波受信回路と、被呼高周波受信回路で受信したワイヤレス呼出ボタンからの呼出電波の電界強度を読み取る電界強度検出回路と、被呼高周波受信回路を最大受信感度および低受信感度の一方から他方に切替設定し電界強度検出回路からの電界強度データをワイヤレス呼出ボタンの呼出した位置の特定をするために廊下灯を介して送信する制御回路とを備えたものである。
【００１３】
また、本発明の第２の態様は、第１の態様であるナースコール装置において、受信機または制御機には、ＩＤコードを予め記憶する受信ＩＤコード記憶回路を設け、受信機には、受信したＩＤコードを受信ＩＤコード記憶回路に記憶されているＩＤコードと照合して一致したとき呼出確認電波にＩＤコードを付加して送信する被呼高周波送信回路を設け、ワイヤレス呼出ボタンには、送信されてきた呼出確認電波を受信する呼出高周波受信回路と、受信したＩＤコードを送信ＩＤコード記憶回路に記憶されているＩＤコードと照合して一致したとき点灯・消灯させて呼出状態を報知する呼出確認灯とを設けたものである。
【発明の効果】
【００１４】
本発明の第１の態様又は第２の態様のナースコール装置によれば、受信機の被呼高周波受信回路を最大受信感度および低受信感度の一方から他方に切替設定することで、電界強度検出回路において最大受信感度状態の電界強度データと低受信感度状態の電界強度データを取得することができることから、２つ以上の受信機において最大受信感度状態の電界強度データが飽和等で同一となった場合においても、低受信感度状態の電界強度データを比較することにより、ワイヤレス呼出ボタンの呼出した位置を容易に特定することができる。
【発明を実施するための最良の形態】
【００１５】
以下、本発明のナースコール装置を適用した実施の形態例について、図面を参照して詳述する。ここで、図１は、本発明のナースコール装置のシステム構成図、図２は、同ナースコール装置のブロック図を示している。
【００１６】
図１において、本発明のナースコール装置は、各病室Ａ、Ｂ、…毎に複数の患者用ベッド付近にそれぞれ設置されたプレ−ト子機Ｐ１と、各病室Ａ、Ｂ、…の天井若しくは各病室Ａ、Ｂ、…の入口付近の廊下灯の天井にそれぞれ設置された受信機Ｊ１と、各プレ−ト子機Ｐ１に対応して配設された複数のワイヤレス呼出ボタンＴ１と、各病室Ａ、Ｂ、…の入口付近にそれぞれ設置された複数の廊下灯Ｒ１と、ナースステーションＮＳ内に設置された制御機Ｃ１およびナースコール親機Ｍ１の各部を備えている。ここで、制御機Ｃ１は、廊下灯幹線Ｌ１を介して各廊下灯Ｒ１に、親機幹線Ｌ２を介してナースコール親機Ｍ１にそれぞれ接続され、また、各廊下灯Ｒ１は、子機幹線Ｌ３を介して対応するプレ−ト子機Ｐ１に、受信機幹線Ｌ４を介して対応する受信機Ｊ１にそれぞれ接続されている。
【００１７】
各ワイヤレス呼出ボタンＴ１は、それぞれ同様の構成とされ、図２に示すように、呼出スイッチＴ１１、呼出検出回路Ｔ１２、呼出確認灯（以下「呼出ボタン呼出確認灯」という。）Ｔ１３、制御回路（以下「呼出制御回路」という。）Ｔ１４、呼出高周波送信回路Ｔ１５、電池Ｔ１６、電源回路Ｔ１７、タイマ回路Ｔ１８、送信ＩＤコード記憶回路Ｔ１９、呼出高周波受信回路Ｔ２０およびデュプレクサ（以下「呼出デュプレクサ」という。）Ｔ２１を内蔵するアンテナ部（以下「呼出アンテナ部」という。）Ｔ２２の各部を備えている。ここで、呼出制御回路Ｔ１４は、呼出検出回路Ｔ１２、呼出ボタン呼出確認灯Ｔ１３、呼出高周波送信回路Ｔ１５、タイマ回路Ｔ１８、送信ＩＤコード記憶回路Ｔ１９および呼出高周波受信回路Ｔ２０に接続され、呼出検出回路Ｔ１２には呼出スイッチＴ１１が、呼出高周波送信回路Ｔ１５および呼出高周波受信回路Ｔ２０には呼出デュプレクサＴ２１が接続されている。また、電池Ｔ１６は電源回路Ｔ１７に接続され、この電源回路Ｔ１７から各部回路に電源が供給されている。
【００１８】
各受信機Ｊ１は、それぞれ同様の構成とされ、図２に示すように、被呼高周波送信回路Ｊ１１、被呼高周波受信回路Ｊ１２、電界強度検出回路Ｊ１３、制御回路（以下「受信機制御回路」という。）Ｊ１４、受信ＩＤコード記憶回路Ｊ１５およびデュプレクサ（以下「受信機デュプレクサ」という。）Ｊ１６を内蔵するアンテナ部（以下「受信機アンテナ部」という。）Ｊ１７の各部を備えている。ここで、受信機制御回路Ｊ１４は、被呼高周波送信回路Ｊ１１、被呼高周波受信回路Ｊ１２、電界強度検出回路Ｊ１３、受信ＩＤコード記憶回路Ｊ１５および受信機幹線Ｌ４に接続され、電界強度検出回路Ｊ１３には被呼高周波受信回路Ｊ１２が、被呼高周波送信回路Ｊ１１および被呼高周波受信回路Ｊ１２には受信機デュプレクサＪ１６がそれぞれ接続されている。
【００１９】
各廊下灯Ｒ１は、それぞれ同様の構成とされ、図２に示すように、制御回路（以下「廊下灯制御回路」という。）Ｒ１１、呼出確認灯（以下「廊下灯呼出確認灯」という。）Ｒ１２、第１のインターフェイス回路（以下「廊下灯幹線側ＩＦ回路」という。）Ｒ１３ａおよび第２のインターフェイス回路（以下「子機幹線側ＩＦ回路」という。）Ｒ１３ｂの各部を備えている。ここで、廊下灯制御回路Ｒ１１は、廊下灯呼出確認灯Ｒ１２、廊下灯幹線側ＩＦ回路Ｒ１３ａ、子機幹線側ＩＦ回路Ｒ１３ｂおよび受信機幹線Ｌ４に接続され、廊下灯幹線側ＩＦ回路Ｒ１３ａには廊下灯幹線Ｌ１が、子機幹線側ＩＦ回路Ｒ１３ｂには子機幹線Ｌ３がそれぞれ接続されている。
【００２０】
次に、このように構成された本発明のナースコール装置の動作について説明する。なお、本発明のナースコール装置においては、ナースコール親機Ｍ１の有する通話機能とプレート子機Ｐ１の有する通話機能との間に、親機幹線Ｌ２、制御機Ｃ１、廊下灯幹線Ｌ１、廊下灯Ｒ１および子機幹線Ｌ３を介して通話路が形成される点は、従来のナースコール装置と同様であることから詳細な説明を省略し、ここでは、ワイヤレス呼出ボタンＴ１と、受信機Ｊ１間における無線通信の動作を中心にして説明する。
【００２１】
まず、例えば病室Ａ内のある患者（以下「第１の患者」という。）が第１の患者に係るワイヤレス呼出ボタン（以下「第１のワイヤレス呼出ボタン」という。）Ｔ１の呼出スイッチ（以下「第１の呼出スイッチ」という。）Ｔ１１を押下すると、第１のワイヤレス呼出ボタンＴ１の呼出検出回路（以下「第１の呼出検出回路」という。）Ｔ１２において呼出信号が検出され、第１の呼出検出回路Ｔ１２から呼出検出信号が出力され、当該呼出検出信号が第１のワイヤレス呼出ボタンＴ１の呼出制御回路（以下「第１の呼出制御回路」という。）Ｔ１４へ送出される。また、これと共に第１のワイヤレス呼出ボタンＴ１の送信ＩＤコード記憶回路（以下「第１の送信ＩＤコード記憶回路」という。）Ｔ１９に予め記憶されている第１のワイヤレス呼出ボタンに係るＩＤコード（以下「第１のＩＤコード」という。）が読み出され、第１のワイヤレス呼出ボタンＴ１の呼出高周波送信回路（以下「第１の呼出高周波送信回路」という。）Ｔ１５において第１のＩＤコードを付加された呼出電波（以下「第１の呼出電波」という。）が第１のワイヤレス呼出ボタンＴ１の呼出アンテナ部（以下「第１の呼出アンテナ部」という。）Ｔ２２から送信される。
【００２２】
そして、第１の呼出電波が例えば病室Ａ内に設置された受信機（以下「第１の受信機」という。）Ｊ１の受信機アンテナ部（以下「第１の受信機アンテナ部」という。）Ｊ１７で受信されると、第１の受信機Ｊ１の被呼高周波受信回路（以下「第１の被呼高周波受信回路」という。）Ｊ１２において第１のＩＤコードが復調され、復調された第１のＩＤコードと第１の受信機Ｊ１の受信ＩＤコード記憶回路（以下「第１の受信ＩＤコード記憶回路」という。）Ｊ１５に予め記憶されている第１のＩＤコードとが照合され両者のＩＤコードが一致すると、第１の受信機Ｊ１の受信機制御回路（以下「第１の受信機制御回路」という。）Ｊ１４から呼出確認信号および第１の着信データが出力され、前者の呼出確認信号が受信機幹線Ｌ４を介して第１の受信機Ｊ１に対応する廊下灯（以下「第１の廊下灯」という。）Ｒ１の廊下灯制御回路（以下「第１の廊下灯制御回路」という。）Ｒ１１へ、後者の第１の着信データが第１の受信機Ｊ１の被呼高周波送信回路（以下「第１の被呼高周波送信回路」という。）Ｊ１１へそれぞれ送出される。そして、前者の呼出確認信号が第１の廊下灯制御回路Ｒ１１で検出されると、第１の廊下灯制御回路Ｒ１１の制御により第１の廊下灯Ｒ１の廊下灯呼出確認灯（以下「第１の廊下灯呼出確認灯」という。）Ｒ１２が点滅すると共に第１の廊下灯制御回路Ｒ１１から第２の着信データが出力され、この第２の着信データが第１の廊下灯Ｒ１の廊下灯幹線側ＩＦ回路（以下「第１の廊下灯幹線側ＩＦ回路」という。）Ｒ１３ａを介して廊下灯幹線Ｌ１へ送出される。
【００２３】
次に、第１の着信データが第１の被呼高周波送信回路Ｊ１１へ送出されると、当該第１の被呼高周波送信回路Ｊ１１において第１のＩＤコードが付加されて着信確認電波（以下「第１の着信確認電波」という。）が第１の受信機アンテナ部Ｊ１７から送信される。そして、第１の着信確認電波が第１の呼出アンテナ部Ｔ２２で受信されると、第１のワイヤレス呼出ボタンＴ１の呼出高周波受信回路（以下「第１の呼出高周波受信回路」という。）Ｔ２０において第１のＩＤコードが復調され、復調された第１のＩＤコードと第１の送信ＩＤコード記憶回路Ｔ１９に予め記憶されている第１のＩＤコードとが照合され両者のＩＤコードが一致すると、第１の呼出制御回路Ｔ１４の制御により第１のワイヤレス呼出ボタンＴ１の呼出ボタン呼出確認灯（以下「第１の呼出ボタン呼出確認灯」という。）Ｔ１３が一定時間点灯する。これにより、第１のワイヤレス呼出ボタンＴ１側において、第１のワイヤレス呼出ボタンＴ１と第１の受信機Ｊ１間の無線通信が正常に動作していることを確認することができる。
【００２４】
一方、廊下灯幹線Ｌ１に送出された第２の着信データが制御機Ｃ１および親機幹線Ｌ２を介してナースコール親機Ｍ１へ送信されると、ナースコール親機Ｍ１のスピーカ(不図示)から呼出音が鳴動すると共に着信表示部(不図示)に着信表示が行われる。これにより、ナースステーションＮＳ内の看護師に対して第１の患者からの呼出表示／報知が行われる。
【００２５】
ここで、ナースコール親機Ｍ１で応答操作をすると、第１の患者は、第１の患者に係るプレート子機（以下「第１のプレート子機」という。）Ｐ１のスピーカ(不図示)とマイク(不図示)を使用してナースステーションＮＳ内の看護師と通話することができる。なお、ナースコール親機Ｍ１において、終話操作すると両者間の通話が終了し待受状態に戻る。
【００２６】
ここで、第１のワイヤレス呼出ボタンＴ１において、第１の着信確認電波を一定時間以上経過しても受信しなかった場合は、第１の呼出高周波送信回路Ｔ１５において第１のＩＤコードで変調された呼出電波（以下「第２の呼出電波」という。）が再度送出され、第１の着信確認電波を再度待機し、第１の着信確認電波を受信するまでこの動作を繰り返す。なお、以上の動作を繰り返しても第１の着信確認電波を受信できない場合は、第１の呼出ボタン呼出確認灯Ｔ１３を早点滅させる。
【００２７】
次に、制御機Ｃ１において、呼出信号を送出した第１のワイヤレス呼出ボタンＴ１を特定する方法について説明する。
【００２８】
先ず、各受信機Ｊ１の被呼高周波受信回路Ｊ１２は、受信機制御回路Ｊ１４の制御により最大受信感度に設定されている。
【００２９】
このような状態において、最大受信感度に設定されている第１の被呼高周波受信回路Ｊ１２が第１の呼出電波を受信すると、第１の受信機Ｊ１の電界強度検出回路（以下「第１の電界強度検出回路」という。）Ｊ１３において最大受信感度状態の電界強度が読取られ最大電界強度データとして第１の受信機制御回路Ｊ１４へ送出される。その後、低受信感度に切替設定され、第１の電界強度検出回路Ｊ１３において低受信感度状態の電界強度が読取られ、低電界強度データとして第１の受信機制御回路Ｊ１４へ送出される。
【００３０】
これらの最大電界強度データおよび低電界強度データが第１の受信機制御回路Ｊ１４で検出されると、第１の受信機制御回路Ｊ１４から第１の受信機Ｊ１のアドレスを含有する最大電界強度データおよび低電界強度データが出力され、これらの最大電界強度データおよび低電界強度データが受信機幹線Ｌ４、第１の廊下灯制御回路Ｒ１１および第１の廊下灯幹線側ＩＦ回路Ｒ１３ａを介して廊下灯幹線Ｌ１へ送出される。
【００３１】
これにより、制御機Ｃ１において、各廊下灯Ｒ１から送出されてくる同一のＩＤコードに係る最大電界強度データを比較することで、より大きい最大電界強度データを送出する受信機Ｊ１に対応する第１のワイヤレス呼出ボタンＴ１を呼出した位置として特定することができる。ここで、２つ以上の受信機において最大受信感度状態の電界強度データが飽和等で同一となった場合においては、さらに低電界強度データを比較することにより、より大きい低電界強度データを送出する受信機Ｊ１に対応する第１のワイヤレス呼出ボタンＴ１を呼出した位置として特定することができる。
【００３２】
尚、上記実施例では呼出確認信号による廊下灯呼出確認灯の点滅、および、着信確認電波による呼出確認灯の点灯は、呼出した位置（受信機の位置）を特定する前におこなっているが、制御機において呼出した位置（受信機の位置）を特定した後におこなうようにしてもよい。
【産業上の利用可能性】
【００３３】
なお、本発明のナースコール装置における好ましい実施の形態例においては、１本のアンテナを有する複数の受信機による位置検出について説明しているが、例えば、１台の受信機において３本のアンテンを有するダイバーシティのアンテナを使用しても同様の効果を得ることができる。
【図面の簡単な説明】
【００３４】
【図１】本発明のナースコール装置のシステム構成図。
【図２】本発明のナースコール装置のブロック図。
【符号の説明】
【００３５】
Ｊ１・・・・・受信機
Ｊ１１・・・被呼高周波送信回路
Ｊ１２・・・被呼高周波受信回路
Ｊ１３・・・電界強度検出回路
Ｊ１４・・・制御回路
Ｊ１５・・・受信ＩＤコード記憶回路
Ｍ１・・・・・ナースコール親機
Ｒ１・・・・・廊下灯
Ｐ１・・・・・プレート子機
Ｔ１・・・・・ワイヤレス呼出ボタン
Ｔ１１・・・呼出スイッチ
Ｔ１３・・・呼出確認灯
Ｔ１５・・・呼出高周波送信回路
Ｔ１９・・・送信ＩＤコード記憶回路
Ｔ２０・・・呼出高周波受信回路
【図１】
2005101764.tif 000003
【図２】
2005101764.tif 000004